(57)【要約】      （修正有）【課題】招待客がより簡単に情報の提供を受けられる情報提供システム、情報提供方法及びプログラムを提供する。【解決手段】生成部２１は、招待状に記載されるＵＲＬ及び主催者番号が符号化された２次元コードを生成する。記憶部２３は、主催者番号と、結婚式に関する情報と、動画データとを対応付けて記憶する。送受信部２２は、招待状に記載された２次元コードを読み取って復号化することにより得られるＵＲＬ及び主催者番号に基づいて招待客端末から送信されたアクセス要求を受信する。抽出部２６は、送受信部２２でアクセス要求を受信すると、記憶部２３を参照して、アクセス要求に含まれる主催者番号に対応する結婚式に関する情報と動画データとを抽出する。送受信部２２は、抽出された結婚式に関する情報と動画データとを招待客端末に送信する。【選択図】図３
2013097579.tif 000002
【特許請求の範囲】
【請求項１】
催しに招待する招待客への媒体に記載されるコード情報として、前記催しに関する情報と第１の動画データとを得るためのアクセス先に関する情報及び前記催しの主催者を識別可能な第１の識別情報が符号化されたコード情報を生成する生成部と、
前記第１の識別情報と、前記催しに関する情報と、前記第１の動画データとを対応付けて記憶する記憶部と、
前記媒体に記載されたコード情報を読み取って復号化することにより得られる前記アクセス先に関する情報及び前記第１の識別情報に基づいて招待客端末から送信されたアクセス要求を、ネットワークを介して受信する受信部と、
前記受信部で前記アクセス要求を受信すると、前記記憶部を参照して、前記アクセス要求に含まれる前記第１の識別情報に対応する前記催しに関する情報と前記第１の動画データとを抽出する抽出部と、
前記抽出部によって抽出された前記催しに関する情報と前記第１の動画データとを、前記ネットワークを介して前記招待客端末に送信する送信部と、
を備えることを特徴とする情報提供システム。
【請求項２】
前記受信部は、
前記招待客端末から前記招待客を識別する第２の識別情報と第２の動画データとを、前記ネットワークを介して受信し、
前記記憶部は、
前記受信部で受信した前記第２の識別情報と前記第２の動画データとを、前記第１の識別情報に対応付けて記憶する、
ことを特徴とする請求項１に記載の情報提供システム。
【請求項３】
前記記憶部は、
前記第１の識別情報に対応付けて認証情報を記憶し、
前記抽出部は、
前記受信部が受信した前記アクセス要求に対して、前記認証情報を前記招待客端末に要求し、
前記受信部が受信した前記招待客端末から送信された認証情報と前記アクセス要求に含まれる前記第１の識別情報に対応する前記認証情報とが一致する場合、前記催しに関する情報と前記動画データとを抽出する、
ことを特徴とする請求項２に記載の情報提供システム。
【請求項４】
前記第１の動画データは複数であって、
前記記憶部は、
前記各第１の動画データと前記各第１の動画データに対応する認証情報とを対応付けて記憶し、
前記抽出部は、
複数の前記第１の動画データのうち、前記受信部が受信した前記招待客端末から送られた認証情報に対応する前記第１の動画データを抽出する、
ことを特徴とする請求項３に記載の情報提供システム。
【請求項５】
前記受信部は、
前記招待客端末から前記第２の識別情報と、前記催しへの出欠に関する情報及び前記催しに関するコメントの少なくとも一方と、を前記ネットワークを介して受信し、
前記記憶部は、
前記第２の識別情報と前記催しへの出欠に関する情報と前記催しに関するコメントとを、前記第１の識別情報に対応付けて記憶する、
ことを特徴とする請求項２乃至４のいずれか一項に記載の情報提供システム。
【請求項６】
前記記憶部に記憶された第２の動画データを編集する動画データ編集部をさらに備える、
ことを特徴とする請求項２乃至５のいずれか一項に記載の情報提供システム。
【請求項７】
前記受信部は、
前記催しに関する情報と前記第１の動画データとを、前記ネットワークを介して受信し、
前記記憶部は、
前記第１の識別情報と対応付けて、前記受信部で受信した前記催しに関する情報と前記第１の動画データとを記憶する、
ことを特徴とする請求項１乃至６のいずれか一項に記載の情報提供システム。
【請求項８】
前記コード情報は、
２次元コードである、
ことを特徴とする請求項１乃至７のいずれか一項に記載の情報提供システム。
【請求項９】
催しに招待する招待客への媒体に記載されるコード情報として、前記催しに関する情報と第１の動画データとを得るためのアクセス先に関する情報及び前記催しの主催者を識別可能な第１の識別情報が符号化されたコード情報を生成する生成工程と、
前記第１の識別情報と、前記催しに関する情報と、前記第１の動画データとを対応付けてサーバの記憶領域に記憶する記憶工程と、
前記媒体に記載されたコード情報を読み取って復号化することにより得られる前記アクセス先に関する情報及び前記第１の識別情報に基づいて招待客端末から送信されたアクセス要求を、前記サーバがネットワークを介して受信する受信工程と、
前記受信工程において前記アクセス要求を受信すると、前記記憶領域を参照して、前記アクセス要求に含まれる前記第１の識別情報に対応する前記催しに関する情報と前記第１の動画データとを抽出する抽出工程と、
前記抽出工程において抽出された前記催しに関する情報と前記第１の動画データとを、前記サーバが前記ネットワークを介して前記招待客端末に送信する送信工程と、
を含む情報提供方法。
【請求項１０】
コンピュータを、
催しに招待する招待客への媒体に記載されるコード情報として、前記催しに関する情報と第１の動画データとを得るためのアクセス先に関する情報及び前記催しの主催者を識別可能な第１の識別情報が符号化されたコード情報を生成する生成部、
前記第１の識別情報と、前記催しに関する情報と、第１の動画データとを対応付けて記憶領域に記憶する記憶部、
前記媒体に記載されたコード情報を読み取って復号化することにより得られる前記アクセス先に関する情報及び前記第１の識別情報に基づいて招待客端末から送信されたアクセス要求を、ネットワークを介して受信する受信部、
前記受信部によって前記アクセス要求を受信すると、前記記憶領域を参照して、前記アクセス要求に含まれる前記第１の識別情報に対応する前記催しに関する情報と前記第１の動画データとを抽出する抽出部、
前記抽出部によって抽出された前記催しに関する情報と前記第１の動画データとを、前記ネットワークを介して前記招待客端末に送信する送信部、
として機能させるプログラム。
【発明の詳細な説明】
【技術分野】
【０００１】
本発明は、情報提供システム、情報提供方法およびプログラムに関する。
【背景技術】
【０００２】
結婚式や結婚披露宴などの催しでは、催しの主催者から招待客へ招待状が事前に送られる。招待状には、その催しの日時、場所等の催しに関する情報が記載されている。
【０００３】
例えば、特許文献１に開示された結婚披露宴管理システムによれば、招待状を受け取った招待客は、招待状に記載されたＵＲＬ（Uniform Resource Locator）から、結婚式に関する情報を招待客に提供するｗｅｂサイトにアクセスできる。招待客は、このｗｅｂサイトを介して、結婚式に関する情報の提供を受けることができる。
【先行技術文献】
【特許文献】
【０００４】
【特許文献１】特開２００３−３０３５０号公報
【発明の概要】
【発明が解決しようとする課題】
【０００５】
しかし、上記特許文献１に記載のシステムでは、招待客が結婚式に関する情報の提供を受けるには、ＵＲＬをｗｅｂブラウザに入力する必要がある。このため、ＵＲＬの誤入力によって、招待客がｗｅｂサイトにアクセスできないことがある。また、コンピュータの入力操作に慣れない招待客にとってはＵＲＬの入力が億劫なため、招待客がｗｅｂサイトにアクセスしないこともある。
【０００６】
本発明は、上記実情に鑑みてなされたものであり、招待客がより簡単に情報の提供を受けられる情報提供システム、情報提供方法及びプログラムを提供することを目的とする。
【課題を解決するための手段】
【０００７】
上記目的を達成するため、本発明の第１の観点に係る情報提供システムは、
催しに招待する招待客への媒体に記載されるコード情報として、前記催しに関する情報と第１の動画データとを得るためのアクセス先に関する情報及び前記催しの主催者を識別可能な第１の識別情報が符号化されたコード情報を生成する生成部と、
前記第１の識別情報と、前記催しに関する情報と、前記第１の動画データとを対応付けて記憶する記憶部と、
前記媒体に記載されたコード情報を読み取って復号化することにより得られる前記アクセス先に関する情報及び前記第１の識別情報に基づいて招待客端末から送信されたアクセス要求を、ネットワークを介して受信する受信部と、
前記受信部で前記アクセス要求を受信すると、前記記憶部を参照して、前記アクセス要求に含まれる前記第１の識別情報に対応する前記催しに関する情報と前記第１の動画データとを抽出する抽出部と、
前記抽出部によって抽出された前記催しに関する情報と前記第１の動画データとを、前記ネットワークを介して前記招待客端末に送信する送信部と、
を備えることを特徴とする。
【０００８】
この場合、前記受信部は、
前記招待客端末から前記招待客を識別する第２の識別情報と第２の動画データとを、前記ネットワークを介して受信し、
前記記憶部は、
前記受信部で受信した前記第２の識別情報と前記第２の動画データとを、前記第１の識別情報に対応付けて記憶する、
こととしてもよい。
【０００９】
また、前記記憶部は、
前記第１の識別情報に対応付けて認証情報を記憶し、
前記抽出部は、
前記受信部が受信した前記アクセス要求に対して、前記認証情報を前記招待客端末に要求し、
前記受信部が受信した前記招待客端末から送信された認証情報と前記アクセス要求に含まれる前記第１の識別情報に対応する前記認証情報とが一致する場合、前記催しに関する情報と前記動画データとを抽出する、
こととしてもよい。
【００１０】
また、前記第１の動画データは複数であって、
前記記憶部は、
前記各第１の動画データと前記各第１の動画データに対応する認証情報とを対応付けて記憶し、
前記抽出部は、
複数の前記第１の動画データのうち、前記受信部が受信した前記招待客端末から送られた認証情報に対応する前記第１の動画データを抽出する、
こととしてもよい。
【００１１】
また、前記受信部は、
前記招待客端末から前記第２の識別情報と、前記催しへの出欠に関する情報及び前記催しに関するコメントの少なくとも一方と、を前記ネットワークを介して受信し、
前記記憶部は、
前記第２の識別情報と前記催しへの出欠に関する情報と前記催しに関するコメントとを、前記第１の識別情報に対応付けて記憶する、
こととしてもよい。
【００１２】
また、前記受信部は、
前記催しに関する情報と前記第１の動画データとを、前記ネットワークを介して受信し、
前記記憶部は、
前記第１の識別情報と対応付けて、前記受信部で受信した前記催しに関する情報と前記第１の動画データとを記憶する、
こととしてもよい。
【００１３】
また、前記記憶部に記憶された第２の動画データを編集する動画データ編集部をさらに備える、
こととしてもよい。
【００１４】
また、前記コード情報は、
２次元コードである、
こととしてもよい。
【００１５】
本発明の第２の観点に係る情報提供方法は、
催しに招待する招待客への媒体に記載されるコード情報として、前記催しに関する情報と第１の動画データとを得るためのアクセス先に関する情報及び前記催しの主催者を識別可能な第１の識別情報が符号化されたコード情報を生成する生成工程と、
前記第１の識別情報と、前記催しに関する情報と、前記第１の動画データとを対応付けてサーバの記憶領域に記憶する記憶工程と、
前記媒体に記載されたコード情報を読み取って復号化することにより得られる前記アクセス先に関する情報及び前記第１の識別情報に基づいて招待客端末から送信されたアクセス要求を、前記サーバがネットワークを介して受信する受信工程と、
前記受信工程において前記アクセス要求を受信すると、前記記憶領域を参照して、前記アクセス要求に含まれる前記第１の識別情報に対応する前記催しに関する情報と前記第１の動画データとを抽出する抽出工程と、
前記抽出工程において抽出された前記催しに関する情報と前記第１の動画データとを、前記サーバが前記ネットワークを介して前記招待客端末に送信する送信工程と、
を含む。
【００１６】
本発明の第３の観点に係るプログラムは、
コンピュータを、
催しに招待する招待客への媒体に記載されるコード情報として、前記催しに関する情報と第１の動画データとを得るためのアクセス先に関する情報及び前記催しの主催者を識別可能な第１の識別情報が符号化されたコード情報を生成する生成部、
前記第１の識別情報と、前記催しに関する情報と、第１の動画データとを対応付けて記憶領域に記憶する記憶部、
前記媒体に記載されたコード情報を読み取って復号化することにより得られる前記アクセス先に関する情報及び前記第１の識別情報に基づいて招待客端末から送信されたアクセス要求を、ネットワークを介して受信する受信部、
前記受信部によって前記アクセス要求を受信すると、前記記憶領域を参照して、前記アクセス要求に含まれる前記第１の識別情報に対応する前記催しに関する情報と前記第１の動画データとを抽出する抽出部、
前記抽出部によって抽出された前記催しに関する情報と前記第１の動画データとを、前記ネットワークを介して前記招待客端末に送信する送信部、
として機能させる。
【発明の効果】
【００１７】
本発明によれば、招待客は媒体に掲載されたコード情報を招待客端末で読み取るだけで、催しに関する情報と動画データを入手することができる。これにより、招待客がより簡単に情報の提供を受けられる。
【図面の簡単な説明】
【００１８】
【図１】本発明の実施形態１に係る情報提供システムの利用態様を模式的に示すブロック図である。
【図２】図１に示す情報提供システムのハードウェア構成を示すブロック図である。
【図３】図１に示す情報提供システムの機能構成を示すブロック図である。
【図４】符号化されたＵＲＬ及び主催者番号の一例を示す図である。
【図５】図５（Ａ）は、実施形態１に係る主催者情報テーブルの一例を示す概念図である。図５（Ｂ）は、実施形態１に係る招待客情報テーブルの一例を示す概念図である。
【図６】図６（Ａ）は、実施形態１に係る事業者用メニューの画面イメージである。図６（Ｂ）は、実施形態１に係る主催者登録ページの画面イメージである。図６（Ｃ）は、実施形態１に係る通知ページの画面イメージである。
【図７】図７（Ａ）は、実施形態１に係るログインページの画面イメージである。図７（Ｂ）は、実施形態１に係るメインメニューの画面イメージである。
【図８】図８（Ａ）は、実施形態１に係る認証ページの画面イメージである。図８（Ｂ）は、実施形態１に係る招待客用ページの画面イメージである。
【図９】図９（Ａ）乃至（Ｃ）は、図１に示す情報提供システムによる登録及び提供処理のフローチャートである。
【図１０】主催者の登録処理のフローチャートである。
【図１１】動画データＳの登録処理のフローチャートである。
【図１２】動画データＳの提供処理のフローチャートである。
【図１３】動画データＭの登録処理のフローチャートである。
【図１４】本発明の実施形態２に係る主催者情報テーブルの一例を示す概念図である。
【図１５】図１５（Ａ）は、実施形態２に係る主催者登録ページの画面イメージである。図１５（Ｂ）は、実施形態２に係るメインメニューの画面イメージである。
【図１６】実施形態３に係る情報提供システムの機能構成を示すブロック図である。
【発明を実施するための形態】
【００１９】
（実施形態１）
本発明の実施形態１について、図面を参照して詳細に説明する。本実施形態に係るサーバとしての情報提供システム１００は、事業者によって管理されている。携帯端末２００は、結婚式を挙げる新郎新婦（以下、単に「主催者」とする）に所持される。携帯端末３００は、結婚式に招待される招待客に所持される。携帯端末２００、３００は、通話機能の他に、カメラと、通信機能と、コードリーダとを備える。携帯端末２００、３００は、カメラを用いて静止画、動画を撮影することが可能である。携帯端末２００、３００は、通信機能を用いて、ネットワーク４００を介して情報提供システム１００との間で、データ通信が可能である。また、携帯端末２００、３００は、コードリーダを用いて、カメラで撮像した２次元コードに基づいて、ネットワーク４００を介して情報提供システム１００にアクセス要求を送信できる。
【００２０】
情報提供システム１００は、ネットワーク４００を介して、結婚式に関する情報及び動画データＳ（第１の動画データ）を携帯端末３００に提供する。動画データＳは、主催者が招待客へ向けてメッセージや挨拶を述べる様子を撮影した動画に対応するものである。動画データＳは、携帯端末２００で撮影したものであってもよいし、ビデオカメラ等で撮影したものであってもよい。結婚式に関する情報は、例えば、主催者（新郎及び新婦）の氏名、結婚式の日時、会場、会場の住所及び電話番号、会場の地図、主催者のメッセージ等である。結婚式に関する情報及び動画データＳは、主催者が携帯端末２００を用いて情報提供システム１００のサイトαにアクセスすることで登録が可能である。
【００２１】
また、情報提供システム１００は、ネットワーク４００を介して、招待客に関する情報及び動画データＭ（第２の動画データ）を携帯端末２００に提供する。招待客に関する情報は、例えば、招待客の氏名、招待客の結婚式への出欠に関する情報、招待客のコメント、携帯端末３００のメールアドレス等である。動画データＭは、招待客が主催者へ向けてお祝いを述べる様子を撮影した動画に対応するものである。動画データＭは、携帯端末３００で撮影したものであってもよいし、ビデオカメラ等で撮影したものであってもよい。招待客に関する情報及び動画データＭは、招待客が携帯端末３００を用いて情報提供システム１００のサイトβにアクセスすることで登録が可能である。
【００２２】
事業者は、主催者の依頼を受けて、主催者から提供された招待客の住所、氏名等のリストに基づいて招待状１を印刷し、招待状１を招待客に発送する。なお、招待客は、複数であるが、図１では、説明を簡略化するために１人の招待客を示している。
【００２３】
例えば、事業者は、招待客の住所、氏名等のリストを情報提供システム１００に入力する。情報提供システム１００は、入力された情報に基づいて、招待客宛の招待状１を作成する。
【００２４】
招待状１には、例えば、結婚式の日時、会場の場所の他に、２次元コード２及び招待客用パスワードが掲載されている。情報提供システム１００は、これら掲載情報をプリンタ５００に出力する。プリンタ５００は、掲載情報を招待状１に印刷する。印刷された招待状１は、例えば郵送により招待客に配布される。
【００２５】
２次元コード２は、例えば、ＱＲコード（登録商標）である。２次元コード２には、サイトβのＵＲＬ等が符号化されている。招待客用パスワードは、招待客がサイトβにログインするために必要なパスワードである。招待状１を受け取り、その内容を見た招待客は、携帯端末３００のカメラで招待状１に掲載されている２次元コード２を撮像する。携帯端末３００は、コードリーダを用いて、撮像された２次元コード２を読み取って復号化する。こうすることで、招待客は、サイトβにアクセスできる。サイトβにアクセスした招待客は、招待状１に記載された招待客用パスワードを用いてサイトβにログインすることで、結婚式に関する情報及び動画データＳの提供を受けることができる。
【００２６】
次に、情報提供システム１００について、さらに詳細に説明する。まず、図２を参照して、本実施形態に係る情報提供システム１００のハードウェア構成について説明する。
【００２７】
図２に示すように、情報提供システム１００は、ＲＯＭ（Read Only Memory）１０と、ＲＡＭ（Random Access Memory）１１と、外部記憶装置１２と、入力装置１３と、出力装置１４と、通信インタフェース１５と、ＣＰＵ（Central Processing Unit）１６とを備える。
【００２８】
ＲＯＭ１０は、各種初期設定、ハードウェアの検査、ソフトウェアプログラムのロード等を行うための初期プログラムを記憶する。ＲＡＭ１１は、ＣＰＵ１６が実行する各種ソフトウェアプログラム、これらのソフトウェアプログラムの実行に必要なデータ等を一時的に記憶する。外部記憶装置１２は、例えば、ハードディスク等であって、各種ソフトウェアプログラム、音声データ、画像データ、動画データ等の各種データを記憶する。これらソフトウェアプログラムの中には、アプリケーションソフトウェアプログラムやＯＳ（Operating System）のような基本ソフトウェアプログラムなどが含まれている。
【００２９】
入力装置１３は、例えば、キーボード等である。入力装置１３は、事業者がキーボードを用いて入力したテキストデータ等をＣＰＵ１６に入力する。出力装置１４は、例えば、液晶ディスプレイ等の画面、スピーカ等を備える。
【００３０】
出力装置１４は、ＣＰＵ１６によって出力されたテキストデータ、画像データを画面に出力し、音声データをスピーカから出力する。
【００３１】
通信インタフェース１５は、送受信回路等を備える。通信インタフェース１５は、ネットワーク４００と接続する。情報提供システム１００は、通信インタフェース１５とネットワーク４００とを介して、携帯端末２００、３００との間でデータを送受信する。通信インタフェース１５は、情報提供システム１００がネットワーク４００にアクセスするための通信処理等も行う。
【００３２】
ＣＰＵ１６は、外部記憶装置１２に記憶されたソフトウェアプログラムをＲＡＭ１１に読み出して、そのソフトウェアプログラムを実行制御することにより、以下の機能構成を実現する。
【００３３】
次に、図３を参照して、情報提供システム１００の機能構成を説明する。
【００３４】
情報提供システム１００は、図３に示すように、生成部２１と、送受信部２２と、記憶部２３と、画面データ作成部２４と、登録部２５と、抽出部２６とを備える。記憶部２３は、外部記憶装置１２の記憶領域に構築されている。
【００３５】
生成部２１は、サイトβのＵＲＬ（アクセス先に関する情報）及び結婚式の主催者を識別可能な主催者番号（第１の識別情報）が符号化された２次元コード２を生成する。主催者番号は、主催者に割り当てられる固有の番号である。例えば、生成部２１は、スキームと、ドメイン名と、ファイル名と、主催者番号とが図４に示すように連結されたものを符号化する。２次元コード２は、プリンタ５００によって招待状１に印刷される。２次元コード２等が印刷された招待状１は、招待客に郵送される。
【００３６】
送受信部２２は、ネットワーク４００を介して、各種データを携帯端末２００、３００に送信する。また、送受信部２２は、ネットワーク４００を介して、携帯端末２００、３００から送信された各種データを受信する。例えば、送受信部２２は、招待状１に記載された２次元コード２を読み取って復号化することにより得られるサイトβのＵＲＬ及び主催者番号に基づいて携帯端末３００から送信されたアクセス要求を、ネットワーク４００を介して受信する。
【００３７】
記憶部２３は、各種ソフトウェアプログラム、メッセージやコメント等のテキストデータ、動画データＳ、Ｍ等の各種データを記憶する。
【００３８】
また、記憶部２３は、主催者番号と、結婚式に関する情報と、動画データＳとを対応づけて記憶する。
【００３９】
より具体的には、記憶部２３は、図５（Ａ）に示すような主催者情報テーブルを記憶する。主催者情報テーブルには、主催者番号、ログインＩＤ、パスワード、メールアドレス、結婚式に関する情報、動画データ名が格納される。ログインＩＤは、主催者がサイトαにログインするときに入力するＩＤである。パスワードは、主催者がサイトαにログインする際に要求されるパスワードである。メールアドレスは、主催者への連絡用のメールアドレスであって、例えば、携帯端末２００のメールアドレスである。動画データ名は、例えば、記憶部２３が記憶した動画データＳのファイル名である。
【００４０】
図５（Ａ）に示す主催者情報テーブルによれば、例えば、主催者番号「１」に対して、ログインＩＤ「ＸＹＺ］、パスワード「ａｂｃ」、メールアドレス「ｐｐ＠ｑｑ．ｎｅ．ｊｐ」、結婚式に関する情報として結婚式の日時「２０１１年９月２２日１０時」、動画データ名「Ｓ」が格納されている。また、主催者番号「２」に対して、ログインＩＤ「ＴＵＶ］、パスワード「ｄｅｆ」、メールアドレス「ｒｒ＠ｎｎ．ｎｅ．ｊｐ」、結婚式に関する情報として結婚式の日時「２０１１年９月２９日１７時」、動画データ名「Ｓｕ」が格納されている。
【００４１】
また、記憶部２３は、招待客のメールアドレス（第２の識別情報）と、動画データＭと、招待客用パスワード（認証情報）とを、主催者番号に対応付けて記憶する。さらに、記憶部２３は、招待客に関する情報を招待客のメールアドレスに対応付けて記憶する。招待客のメールアドレス、動画データＭ、招待客に関する情報は、ネットワーク４００を介して携帯端末３００から送信され、送受信部２２によって受信される。
【００４２】
より具体的には、記憶部２３は、図５（Ｂ）に示すような招待客情報テーブルを記憶する。招待客情報テーブルには、主催者番号、招待客用パスワード、招待客氏名、出欠情報、招待客メールアドレス、動画データ名、コメントが格納される。招待客氏名、出欠情報及びコメントは、招待客に関する情報に対応する。招待客用パスワードは、招待客がサイトβにログインするときに要求されるパスワードである。招待客用パスワードは、主催者又は事業者が任意に決めたものである。動画データ名は、例えば、記憶部２３が記憶した動画データＭのファイル名である。コメントは、招待客から主催者へのお祝い等のコメントである。
【００４３】
図５（Ｂ）に示す招待客情報テーブルによれば、例えば、主催者番号「１」に対して、招待客用パスワード「ｘｙｚ］、招待客氏名「ＮＡＭＥ」、出欠情報「出席」、招待客メールアドレス「ｈｈ＠ｎｎ．ｎｅ．ｊｐ」、動画データ名「Ｍ」、コメント「ＣＣＣ」が格納されている。なお、図５（Ｂ）に示す招待客情報テーブルは、主催者番号「１」に対して複数の招待客と、各招待客に対応する動画データＭとを格納できる。
【００４４】
図３に戻って、画面データ作成部２４は、出力装置１４が備える画面に表示する画面データを作成する。画面データ作成部２４によって作成された画面データは、出力装置１４に出力され、画面データに対応する内容が画面に表示される。
【００４５】
また、画面データ作成部２４は、携帯端末２００、３００に送信する画面データを作成する。画面データ作成部２４によって作成された画面データは、送受信部２２を介して携帯端末２００、３００に送信される。携帯端末２００、３００は、受信した画面データに対応する内容を画面に表示する。
【００４６】
画面データ作成部２４は、記憶部２３に記憶された主催者情報テーブル、招待客情報テーブルを参照して、各種情報に基づいて上記画面データを作成する。ここで、画面データ作成部２４によって作成される画面データに対応する内容の一例を、図６乃至８を参照しながら具体的に説明する。
【００４７】
図６は、事業者が主催者を情報提供システム１００に登録する際に利用する事業者用サイトに含まれるページの構成である。事業者用サイトのページは、出力装置１４が備える画面に表示される。
【００４８】
図６（Ａ）は、事業者用メニューである。事業者用メニューの項目は、「主催者一覧」と「主催者登録」である。「主催者一覧」は、既に登録された主催者の一覧を表示するページへのリンクである。「主催者登録」は、主催者の情報を入力するページ（以下、単に「主催者登録ページ」とする）へのリンクである。
【００４９】
図６（Ｂ）は、主催者登録ページである。主催者登録ページには、「ログインＩＤ」と、「パスワード」と、「パスワード確認」と、「新郎氏名」と、「新婦氏名」と、「招待客用パスワード」と、「結婚式の日時」と、「メールアドレス」とを入力できるテキストボックス及び登録ボタンが設けられている。
【００５０】
「ログインＩＤ」及び「パスワード」は、主催者がサイトαにログインする際に要求するログインＩＤとパスワードを入力するテキストボックスである。主催者が入力したログインＩＤとパスワードとが主催者情報テーブルに登録されたものと一致した場合に限って、主催者はサイトαにログインできる。「パスワード確認」は、パスワードのテキストボックスに入力したパスワードの確認用にパスワードを再入力させるためのテキストボックスである。
【００５１】
「新郎氏名」及び「新婦氏名」は、主催者である新郎と新婦の氏名を入力するテキストボックスである。「招待客用パスワード」は、招待客がサイトβにログインするときに要求されるパスワードを入力するテキストボックスである。「結婚式の日時」は、結婚式が行われる日時を入力するテキストボックスである。「メールアドレス」は、主催者への連絡用のメールアドレスを入力するテキストボックスであって、例えば、携帯端末２００のメールアドレスが入力される。なお、ログインＩＤ、パスワード、招待客用パスワードは、あらかじめ主催者が任意に決定したものである。
【００５２】
登録ボタンは、上記各テキストボックスに入力された情報を情報提供システム１００に送信するためのボタンである。事業者が各テキストボックスに入力して、登録ボタンを入力すると、入力された情報に対応するデータが入力装置１３からＣＰＵ１６に入力される。
【００５３】
図６（Ｃ）は、主催者の登録が完了したことを事業者に通知するための通知ページである。通知ページには、主催者の登録完了を事業者に通知するメッセージに加え、生成部２１によって生成されたサイトαのＵＲＬが符号化された２次元コード及び２次元コード２が表示される。事業者は、これら２次元コードをカメラ付きの携帯端末等で読み取ることで、サイトα、βに正しくアクセスできるかを確認できる。
【００５４】
図７は、主催者が結婚式に関する情報及び動画データＳを情報提供システム１００に登録する際に利用するサイトαに含まれるページの構成である。画面データ作成部２４は、これらの画面データを作成して、作成した画面データを送受信部２２を介して携帯端末２００に送信する。
【００５５】
図７（Ａ）は、ログインページである。ログインページには、「ログインＩＤ」、「パスワード」を入力するテキストボックス及びログインボタンが設けられている。主催者が携帯端末２００を操作して、ログインＩＤ及びパスワードをテキストボックスに入力して、ログインボタンを入力すると、携帯端末２００から入力されたログインＩＤ及びパスワードが情報提供システム１００に送信される。
【００５６】
図７（Ｂ）は、メインメニューである。メインメニューには、例えば、「サイトβの確認」、「コメントの確認」、「出欠確認」、「招待客の動画確認」、「動画のアップロード」、「動画の削除」、「メッセージの入力、変更、削除」、「会場情報の入力、変更、削除」、「日時の入力、変更、削除」、「ログアウト」のリンクがある。
【００５７】
「サイトβの確認」は、招待客に提示されるサイトβの内容を確認する確認ページへのリンクである。「コメントの確認」は、招待客から情報提供システム１００に送信されたコメントの一覧ページへのリンクである。「出欠確認」は、招待客から情報提供システム１００に送信された出欠情報の一覧ページへのリンクである。「招待客の動画確認」は、招待客から情報提供システム１００に送信された動画データＭに対応する動画の一覧ページへのリンクである。
【００５８】
「動画のアップロード」は、動画データＳを情報提供システム１００に送信するためのリンクである。主催者が「動画のアップロード」をクリックすると、電子メールの送信フィームが開く。このリンクのコードには、例えば、タグが挿入されており、電子メールの送信フォームの件名に、主催者番号を含む件名が挿入される。主催者は、この電子メールに動画データＳを添付して返信すると、動画データＳを情報提供システム１００に登録できる。
【００５９】
「動画の削除」は、登録済みの動画データＳを削除するためのページへのリンクである。「メッセージの入力、変更、削除」、「会場情報の入力、変更、削除」、「日時の入力、変更、削除」は、それぞれメッセージ、会場情報、日時の登録、編集、削除等を行うページへのリンクである。「ログアウト」は、サイトαからログアウトするためのリンクである。
【００６０】
図８は、招待客に関する情報、招待客メールアドレス及び動画データＭを情報提供システム１００に登録する際に利用するサイトβに含まれるページの構成である。画面データ作成部２４は、これらの画面データを作成して、作成した画面データを、送受信部２２を介して携帯端末３００に送信する。
【００６１】
図８（Ａ）は、認証ページである。認証ページには、「パスワード」を入力するためのテキストボックスが設けられており、招待客は、招待状１に記載された招待客用パスワードをこのテキストボックスに入力する。
【００６２】
図８（Ｂ）は、例えば、招待客用ページである。招待客用ページには、日時、会場情報などの結婚式に関する情報、主催者がサイトαを介して登録したメッセージ、動画データＳに対応する動画のサムネイル画像の他に、「コメント」、「お名前」、「出欠」、「携帯メールメールアドレス」のテキストボックス及び送信ボタンがある。
【００６３】
サムネイル画像の下には、「動画再生」のリンクがあり、このリンクをクリックすることで、動画データＳに対応する動画が再生される。「コメント」は、例えば、招待客が主催者に送る祝辞やお祝いのテキストを入力するテキストボックスである。「出欠」は、招待客が結婚式に出席するか否かを入力するテキストボックスである。「出欠」は、テキストボックスではなく、出席、欠席をプルダウンメニューから選択するようにしてもよい。「お名前」は、招待客の氏名を入力するテキストボックスである。「携帯メールアドレス」は、メールアドレスを入力するテキストボックスであって、例えば、携帯端末３００のメールアドレスが入力される。動画データＭのアップロードを希望する招待客は、このテキストボックスに入力したメールアドレスに送信されるメールに対する返信のメールに動画データＭを添付することによって、動画データＭを情報提供システム１００に登録できる。送信ボタンは、上記各テキストボックスに入力されたデータを情報提供システム１００に送信するためのボタンである。
【００６４】
なお、上記サイトαのメインメニューにおける確認ページでも、図８（Ｂ）と同様の画面が表示される。
【００６５】
図３に戻って、登録部２５は、入力装置１３を介して入力されたログインＩＤ、パスワード、メールアドレス、招待客用パスワード等、携帯端末２００から送信された結婚式に関する情報等、携帯端末３００から送信された招待客に関する情報等を記憶部２３に記憶された主催者情報テーブル又は招待客情報テーブルに格納する。また、登録部２５は、携帯端末２００から送信された動画データＳ及び携帯端末３００から送信された動画データＭを記憶部２３に記憶させる。
【００６６】
また、登録部２５は、主催者情報テーブル又は招待客情報テーブルに格納されたメールアドレス宛に電子メールを、送受信部２２を介して送信する。
【００６７】
抽出部２６は、送受信部２２でアクセス要求を受信すると、主催者情報テーブルを参照して、アクセス要求に含まれる主催者番号に対応する結婚式に関する情報と動画データＳとを抽出する。
【００６８】
より詳細には、抽出部２６は、送受信部２２を介してアクセス要求を受信すると、招待客用パスワードを携帯端末３００に要求する。このため、抽出部２６は、画面データ作成部２４にサイトβの認証ページ（図８（Ａ）参照）の作成を指示する。画面データ作成部２４は、認証ページに対応する画面データを作成し、送受信部２２を介して携帯端末３００に送信する。そして、抽出部２６は、招待客情報テーブルを参照して、アクセス要求に含まれる主催者番号に対応する招待客用パスワードと送受信部２２が受信した携帯端末３００から送信された招待客用パスワードとが一致する場合、主催者情報テーブルからアクセス要求に含まれる主催者番号を検索する。
【００６９】
抽出部２６は、検索した主催者番号に対応する結婚式に関する情報及び動画データＳを抽出し、結婚式に関する情報及び動画データＳを画面データ作成部２４に出力する。画面データ作成部２４は、抽出部２６によって抽出された結婚式に関する情報及び動画データＳを用いて画面データ（図８（Ｂ）参照）を作成する。作成された画面データは、送受信部２２によって、ネットワーク４００を介して携帯端末３００に送信される。
【００７０】
次に、図９を参照して、本実施形態に係る情報提供システム１００の登録及び提供処理に係る動作のフローを説明する。
【００７１】
図９（Ａ）に示すように、情報提供システム１００は、主催者の登録処理をサブルーチンとして実行する（ステップＳ１）。続いて、情報提供システム１００は、２次元コード２、招待客用パスワード、招待客の住所、氏名等をプリンタ５００に出力し（ステップＳ２）、動作を終了する。
【００７２】
この結果、招待状１が印刷され、招待状１の宛名欄には、招待客の住所、氏名等が印刷される。招待状１は、例えば、郵送によって各顧客に発送される。
【００７３】
図９（Ｂ）に示すように、情報提供システム１００は、動画データＳの登録処理をサブルーチンとして実行し（ステップＳ３）、動作を終了する。
【００７４】
図９（Ｃ）に示すように、情報提供システム１００は、動画データＳの提供処理をサブルーチンとして実行する（ステップＳ４）。さらに、情報提供システム１００は、動画データＭの登録処理をサブルーチンとして実行する（ステップＳ５）。そして、情報提供システム１００は動作を終了する。
【００７５】
以下では、上記ステップＳ１、Ｓ３、Ｓ４及びＳ５のサブルーチンの詳細を説明する。
【００７６】
まず、図１０を参照して、主催者の登録処理（ステップＳ１）のフローを説明する。画面データ作成部２４は、事業者によって、主催者登録の操作入力があるまで待つ（ステップＳ１１；Ｎｏ）。主催者登録の操作入力があると（ステップＳ１１；Ｙｅｓ）、画面データ作成部２４は、事業者用メニューに対応する画面データを作成し、出力装置１４に出力する（ステップＳ１２）。出力装置１４は、事業者用メニュー（図６（Ａ）参照）を画面に表示する（ステップＳ１３）。
【００７７】
続いて、画面データ作成部２４は、主催者登録のリンクに対するクリックに対応する入力を待つ（ステップＳ１４；Ｎｏ）。主催者登録のリンクに対するクリックに対応する入力があると（ステップＳ１４；Ｙｅｓ）、画面データ作成部２４は、主催者登録ページに対応する画面データを作成し、出力装置１４に出力する（ステップＳ１５）。出力装置１４は、主催者登録ページ（図６（Ｂ）参照）を画面に表示する（ステップＳ１６）。
【００７８】
続いて、登録部２５は、登録ボタンの入力を待つ（ステップＳ１７；Ｎｏ）。登録ボタンが入力されると（ステップＳ１７；Ｙｅｓ）、登録部２５は、パスワードのテキストボックスに入力されたパスワードとパスワード確認のテキストボックスに入力されたパスワードとが一致するか否かを判定する（ステップＳ１８）。パスワードが一致しない場合（ステップＳ１８；Ｎｏ）、登録部２５は、画面データ作成部２４に画面データの作成を指示し、画面データ作成部２４は、パスワード再入力のページに対応する画面データを作成し、出力装置１４に出力する（ステップＳ１９）。出力装置１４は、パスワード再入力のページを画面に表示する（ステップＳ２０）。そして、登録部２５は、パスワード再入力のページに設けられた登録ボタンの入力を待つ（ステップＳ１７）。
【００７９】
一方、パスワードが一致した場合（ステップＳ１８；Ｙｅｓ）、登録部２５は、ログインＩＤ、パスワード、メールアドレス等を主催者情報テーブルに格納する（ステップＳ２１）。続いて、生成部２１は、２次元コード２及びサイトαのＵＲＬが符号化された２次元コードを生成する（ステップＳ２２）。続いて、登録部２５は、送受信部２２を介して、主催者情報テーブルに格納したメールアドレス宛にサイトαのＵＲＬが記載された電子メールを送信する（ステップＳ２３）。続いて、画面データ作成部２４は、通知ページに対応する画面データを作成し、出力装置１４に出力する（ステップＳ２４）。出力装置１４は、通知ページを画面に表示する（ステップＳ２５）。そして、情報提供処理システム１００は、登録及び提供処理に戻る。
【００８０】
次に、図１１を参照して、動画データＳの登録処理（ステップＳ３）のフローを説明する。
【００８１】
携帯端末２００からサイトαのＵＲＬにアクセス要求があると（ステップＳ３１）、画面データ作成部２４は、ログインページに対応する画面データを作成し、送受信部２２を介して携帯端末２００に送信する（ステップＳ３２）。
【００８２】
画面データを受信した携帯端末２００は、画面にログインページ（図７（Ａ）参照）を表示する（ステップＳ３３）。続いて、携帯端末２００は、主催者によって入力されたログインＩＤとパスワードとを情報提供システム１００に送信する（ステップＳ３４）。
【００８３】
登録部２５は、主催者情報テーブルを参照し、送受信部２２を介して受信したログインＩＤとパスワードが主催者情報テーブルに格納されたものと一致するか否かを判定する（ステップＳ３５）。ログインＩＤとパスワードが主催者情報テーブルに格納されたものと一致しない場合（ステップＳ３５；Ｎｏ）、登録部２５は、画面データ作成部２４に画面データの作成を指示し、画面データ作成部２４は、ログインページに対応する画面データを作成し、送受信部２２を介して携帯端末２００に再度送信する（ステップＳ３２）。
【００８４】
一方、ログインＩＤとパスワードが主催者情報テーブルに格納されたものと一致する場合（ステップＳ３５；Ｙｅｓ）、画面データ作成部２４は、主催者情報テーブルを参照して、メインメニューに対応する画面データを作成し、送受信部２２を介して携帯端末２００に送信する（ステップＳ３６）。
【００８５】
画面データを受信した携帯端末２００は、画面にメインメニュー（図７（Ｂ）参照）を表示する（ステップＳ３７）。ここで、主催者によって動画のアップロードリンクに対するクリックに対応する入力がある場合（ステップＳ３８；Ｙｅｓ）、携帯端末２００は、主催者によって添付された動画データＳを含む電子メールを情報提供システム１００に送信する（ステップＳ３９）。情報提供システム１００が電子メールを、送受信部２２を介して受信すると（ステップＳ４０；Ｙｅｓ）、登録部２５は、動画データＳを記憶部２３に記憶させ、主催者情報テーブルに動画データ名「Ｓ」を格納することによって主催者情報テーブルを更新する（ステップＳ４１）。なお、情報提供システム１００が電子メールを、送受信部２２を介して受信しなかった場合（ステップＳ４０；Ｎｏ）、情報提供システム１００は、ステップＳ４３に進む。
【００８６】
一方、主催者によって動画のアップロードリンクに対するクリックに対応する入力がされなかった場合（ステップＳ３８；Ｎｏ）、又は動画データＳを添付した電子メールが情報提供システム１００に送信された場合（ステップＳ３９）において、携帯端末２００は、入力された結婚式に関する情報を含むデータを情報提供システム１００に送信する（ステップＳ４２）。
【００８７】
登録部２５は、結婚式に関する情報を含むデータを受信するのを待つ（ステップＳ４３；Ｎｏ）。結婚式に関する情報を含むデータを、送受信部２２を介して受信すると（ステップＳ４３；Ｙｅｓ）、登録部２５は、結婚式に関する情報を主催者情報テーブルに格納して、主催者情報テーブルを更新する（ステップＳ４４）。続いて、登録部２５は、送受信部２２を介して、動画データＳ及び結婚式に関する情報を登録した旨を通知する電子メールを携帯端末２００に送信する（ステップＳ４５）。情報提供処理システム１００は、登録及び提供処理に戻る。
【００８８】
次に、図１２を参照して、動画データＳの提供処理（ステップＳ４）のフローを説明する。
【００８９】
携帯端末３００のカメラは、招待状１に掲載された２次元コード２を撮像する（ステップＳ５１）。
【００９０】
携帯端末３００は、２次元コード２を撮像して復号化することにより得られるＵＲＬ及び主催者番号に基づいて、アクセス要求を送信する（ステップＳ５２）。
【００９１】
抽出部２６は、アクセス要求を受信するまで待つ（ステップＳ５３；Ｎｏ）。送受信部２２を介してアクセス要求を受信すると（ステップＳ５３；Ｙｅｓ）、抽出部２６の指示に基づいて、画面データ作成部２４は、認証ページに対応する画面データを作成し、送受信部２２を介して携帯端末３００に送信する（ステップＳ５４）。
【００９２】
認証ページに対応する画面データを受信した携帯端末３００は、画面に認証ページを表示する（ステップＳ５５）。続いて、携帯端末３００は、主催者によって入力された招待客用パスワードを情報提供システム１００に送信する（ステップＳ５６）。
【００９３】
抽出部２６は、招待客情報テーブルを参照し、受信した招待客用パスワードがアクセス要求に含まれる主催者番号に対応するパスワードと一致するか否かを判定する（ステップＳ５７）。パスワードが一致しない場合（ステップＳ５７；Ｎｏ）、抽出部２６の指示に基づいて、画面データ作成部２４は、認証ページに対応する画面データを作成し、送受信部２２を介して携帯端末３００に再度送信する（ステップＳ５４）。
【００９４】
一方、パスワードが一致した場合（ステップＳ５７；Ｙｅｓ）、抽出部２６は、主催者番号及び主催者情報テーブルに基づいて、結婚式に関する情報及び動画データＳを抽出する。（ステップＳ５８）。画面データ作成部２４は、抽出された結婚式に関する情報及び動画データＳに基づいて招待客用ページに対応する画面データを作成し、送受信部２２を介して携帯端末３００に送信する（ステップＳ５９）。
【００９５】
招待客用ページに対応する画面データを受信した携帯端末３００は、招待客用ページを画面に表示する（ステップＳ６０）。ここで、招待客によって動画再生のリンクに対するクリックに対応する入力があると（ステップＳ６１；Ｙｅｓ）、携帯端末３００は、動画データＳを再生する（ステップＳ６２）。そして、情報提供システム１００及び携帯端末３００は、登録及び提供処理に戻って、ステップＳ５を実行する。なお、招待客によって動画再生のリンクに対するクリックに対応する入力がない場合（ステップＳ６１；Ｎｏ）でも、動画データＭの登録は可能であるため、情報提供システム１００は、登録及び提供処理に戻って、ステップＳ５を実行する。
【００９６】
次に、図１３を参照して、動画データＭの登録処理（ステップＳ５）のフローを説明する。
【００９７】
招待客によって招待客に関する情報が入力され、送信ボタンの入力があると（ステップＳ７１；Ｙｅｓ）、携帯端末３００は、招待客に関する情報を含むデータを情報提供システム１００に送信する（ステップＳ７２）。一方、送信ボタンが入力されない場合（ステップＳ７１；Ｎｏ）、携帯端末３００は、図９に戻って、登録及び提供処理を終了する。
【００９８】
登録部２５は、招待客に関する情報を含むデータの受信を待つ（ステップＳ７３；Ｎｏ）。登録部２５は、招待客に関する情報を含むデータを、送受信部２２を介して受信すると（ステップＳ７３；Ｙｅｓ）、招待客に関する情報を招待客情報テーブルに格納することによって、招待客情報テーブルを更新する（ステップＳ７４）。
【００９９】
続いて、登録部２５は、携帯端末３００から受信したデータにメールアドレスが含まれているか否かを判定する（ステップＳ７５）。データにメールアドレスが含まれる場合（ステップＳ７５；Ｙｅｓ）、登録部２５は、送受信部２２を介して、そのメールアドレス宛に電子メールを送信する（ステップＳ７６）。
【０１００】
電子メールを受信した携帯端末３００は、招待客によって動画データＭが添付された電子メールを情報提供システム１００に返信する（ステップＳ７７）。
【０１０１】
登録部２５は、携帯端末３００からの電子メールの受信を待つ（ステップＳ７８；Ｎｏ）。送受信部２２を介して携帯端末３００から電子メールを受信すると（ステップＳ７８；Ｙｅｓ）、登録部２５は、動画データＭを記憶部２３に記憶させ、招待客情報テーブルに動画データ名「Ｍ」を格納することによって招待客情報テーブルを更新する（ステップＳ７９）。
【０１０２】
一方、携帯端末３００から受信したデータにメールアドレスが含まれていない場合（ステップＳ７５；Ｎｏ）、情報提供システム１００は、図９に戻って、登録及び提供処理を終了する。
【０１０３】
以上詳細に説明したように、本実施形態によれば、招待客は招待状１に掲載された２次元コード２を携帯端末３００で読み取るだけで、結婚式に関する情報と動画データＳとを入手することができる。これにより、招待客がより簡単に情報の提供を受けられる。
【０１０４】
また、本実施形態によれば、動画データＳ及び動画データＭがそれぞれ主催者番号及び招待客のメールアドレスと対応付けられて記憶される。招待客によるアクセス要求には、主催者番号が含まれているため、招待客は主催者の動画データＳを確実に受信できる。また、招待客が複数の場合に、主催者は、動画データＭがどの招待客から送信されたものかを判別できるので利便性が高まる。
【０１０５】
（実施形態２）
次に、本発明の実施形態２について説明する。
【０１０６】
本実施形態に係る情報提供システム１００のハードウェア構成及び機能構成は、図２及び図３に示すものと同じである。本実施形態に係る情報提供システム１００では、記憶部２３は、複数の動画データＳを記憶する。以下では、上記実施形態１と異なる部分を主に説明する。
【０１０７】
記憶部２３は、主催者番号と、結婚式に関する情報と、複数の動画データと、各動画データに対応する招待客用パスワードとを対応付けて記憶する。
【０１０８】
より具体的には、記憶部２３は、図１４に示すように、主催者情報テーブルに動画データＳ及び動画データＳｕそれぞれに対応する動画データ名「Ｓ」、「Ｓｕ」を記憶する。また、記憶部２３は、動画データ名「Ｓ」、「Ｓｕ」に対応付けて招待客用パスワード「ｘｙｚ」、「ｔｕｖ」をそれぞれ記憶する。
【０１０９】
図１４に示す主催者情報テーブルによれば、例えば、主催者番号「１」に対して、ログインＩＤ「ＸＹＺ］、パスワード「ａｂｃ」、メールアドレス「ｐｐ＠ｑｑ．ｎｅ．ｊｐ」、結婚式に関する情報として結婚式の日時「２０１１年９月２２日１０時」、動画データ名「Ｓ」、招待客用パスワード「ｘｙｚ」が格納されている。また、主催者番号「１」に対して、ログインＩＤ、パスワード、メールアドレス、結婚式に関する情報には、上記と同じものが格納され、動画データ名に「Ｓｕ」、招待客用パスワードに「ｔｕｖ」が格納されている。
【０１１０】
このように本実施形態では記憶部２３が複数の動画データＳ及び招待客用パスワードを記憶するため、画面データ作成部２４によって作成される主催者登録ページとサイトαのメインページの構成が上記実施形態１と異なる。
【０１１１】
図１５（Ａ）は、本実施形態に係る主催者登録ページの構成を示す。主催者登録ページには、招待客用パスワード（動画Ｓ）及び招待客用パスワード（動画Ｓｕ）をそれぞれ入力するテキストボックスが設けられている。
【０１１２】
また、図１５（Ｂ）は、サイトαのメインメニューの構成を示す。メインメニューには、動画Ｓのアップロード及び動画Ｓｕのアップロードのリンクがそれぞれ設けられている。なお、動画Ｓ、Ｓｕは、それぞれ動画データＳ、Ｓｕに対応する動画を意味する。
【０１１３】
上記実施形態１と同様に、このリンクをクリックすると電子メールの送信フィームが開く。例えば、動画Ｓのアップロードのリンクをクリックすると、電子メールの送信フォームの件名に、主催者番号及び動画データＳに対応する招待客用パスワード「ｘｙｚ」を含む件名が挿入される。主催者がこの電子メールに動画データＳを添付して返信すると、登録部２５は、送受信部２２を介して受信した電子メールの件名に含まれる主催者番号及び招待客用パスワードに基づいて、動画データＳの動画データ名を主催者情報テーブルに格納する。一方、動画Ｓｕのアップロードのリンクをクリックすると、電子メールの送信フォームの件名に、主催者番号及び動画データＳｕに対応する招待客用パスワード「ｔｕｖ」を含む件名が挿入される。主催者がこの電子メールに動画データＳｕを添付して返信すると、登録部２５は、送受信部２２を介して受信した電子メールの件名に含まれる主催者番号及び招待客用パスワードに基づいて、動画データＳｕの動画データ名を主催者情報テーブルに格納する。このようにして、動画データＳ及びＳｕを情報提供システム１００に登録できる。
【０１１４】
抽出部２６は、動画データＳ、Ｓｕのうち、送受信部２２が受信した携帯端末３００から送られた招待客用パスワードに対応する動画データを抽出する。
【０１１５】
より詳細には、抽出部２６は、主催者情報テーブルからアクセス要求に含まれる主催者番号を検索する。そして、抽出部２６は、主催者番号に対応する各招待客用パスワードを参照し、携帯端末３００から送信された招待客用パスワードに対応する結婚式に関する情報及び動画データＳ又は動画データＳｕを抽出する。
【０１１６】
本実施形態に係る情報提供システム１００の動作フローについて、上記実施形態１における動作フローと異なる点を詳細に説明する。
【０１１７】
主催者の登録処理（ステップＳ１）におけるステップＳ２１（図１０参照）では、登録部２５は、ログインＩＤ、パスワード、メールアドレス等に加え、招待客用パスワードそれぞれを主催者番号に対応付けて、主催者情報テーブルに格納する。
【０１１８】
また、動画データＳの登録処理（ステップＳ３）では、ステップＳ３８及びステップＳ３９（図１１参照）が動画データＳ及びＳｕについてそれぞれ実行される。また、ステップＳ４１では、登録部２５は、動画データＳ、Ｓｕを記憶部２３に記憶させ、主催者情報テーブルに各動画データ名を格納することによって主催者情報テーブルを更新する。
【０１１９】
また、動画データＳの提供処理（ステップＳ４）では、ステップＳ５８において（図１２参照）、抽出部２６は、動画データＳ、Ｓｕのうち、送受信部２２が受信した携帯端末３００から送られた招待客用パスワードに対応する動画データを抽出する。
【０１２０】
以上詳細に説明したように、本実施形態によれば、複数の動画データＳ、Ｓｕがそれぞれ招待客用パスワードに対応付けて記憶されるので、招待客に配布される招待状１に記載される招待客用パスワードに応じて、異なる動画を招待客に提供することができる。こうすることで、招待客に適切な内容の動画を提供することができる。
【０１２１】
（実施形態３）
次に、本発明の実施形態３について説明する。
【０１２２】
本実施形態に係る情報提供システム１００のハードウェア構成は、図２に示すものと同じである。本実施形態に係る情報提供システム１００は、その機能構成において、上記実施形態１と異なる。本実施形態に係る情報提供システム１００は、上記実施形態１における機能構成加えて、動画データ編集部２７をさらに備える。以下では、上記実施形態１と異なる部分を主に説明する。
【０１２３】
動画データ編集部２７は、記憶部２３に記憶された動画データＭを編集する。動画データ編集部２７は、例えば、複数の招待客によって登録された複数の動画データＭを１つの動画データとして連結する。動画データＭの連結の順番は、動画データＭが記憶部２３に記憶された順でもよいし、主催者から提供された招待客のリストの順でもよいし、あらかじめ記憶部２３に記憶された結婚式における招待客の席順でもよい。
【０１２４】
また、動画データ編集部２７は、例えば、音声認識機能を用いて、複数の動画データＭから音声が認識される部分のみを集めて１つの動画データとして連結してもよい。また、動画データ編集部２７は、記憶部２３に記憶された楽曲に対応する音声データを取得し、連結した動画データと共に楽曲が再生されるようにしてもよい。
【０１２５】
動画データ編集部２７は、編集後の動画データを記憶部２３に記憶させる。記憶部２３に記憶された編集後の動画データは、ＵＳＢ（Universal Serial Bus）メモリ、ＣＤ−ＲＯＭ（Compact Disc Read-Only Memory）、ＤＶＤ（Digital Versatile Disc）、ＭＯ（Magneto-Optical disc）等のコンピュータで読み取り可能な記録媒体に格納できる。また、動画データ編集部２７は、記憶部２３に記憶させた編集後の動画データを再生し、動画データに対応する動画及び音声を出力装置１４に出力するようにしてもよい。
【０１２６】
以上詳細に説明したように、本実施形態によれば、複数の動画データＭが編集されるので、主催者は、複数の動画データの再生を繰り返す必要がなく、少ない操作で複数の動画データＭを概観できる。また、結婚式に適した動画データに編集することによって、編集された動画データをプロジェクタ等に出力し、結婚式や結婚披露宴会場のスクリーンに投影することができる。
【０１２７】
また、上記各実施形態では、抽出部２６は、招待客用パスワードを携帯端末３００に要求するようにした。こうすることで、サイトβのセキュリティレベルを向上させることができる。
【０１２８】
また、上記各実施形態によれば、招待客のメールアドレスと、結婚式への出欠情報と、コメントとが主催者番号に対応付けて記憶される。こうすることで、主催者は、各招待客の出欠予定とコメントを容易に確認できる。
【０１２９】
また、送受信部２２は、結婚式に関する情報と動画データＳとを、ネットワーク４００を介して受信し、記憶部２３は、主催者情報と対応付けて、送受信部２２で受信した結婚式に関する情報と動画データＳとを記憶するようにした。こうすることで、主催者は、携帯端末２００を用いて、結婚式に関する情報及び動画データＳを情報提供システム１００に送信できるので、利便性が高まる。
【０１３０】
なお、上記各実施形態では、催しは結婚式としたが、結婚披露宴でもよいし、結婚披露宴の２次会パーティー、誕生パーティー等であってもよい。
【０１３１】
また、上記各実施形態では、招待状１に記載されるアクセス先に関する情報をＵＲＬが符号化された２次元コード２とした。こうすることで、招待客は、２次元コード２を携帯端末３００が備えるカメラで撮像するだけで、サイトβにアクセスできるので、利便性が高まる。
【０１３２】
なお、動画データＳ、Ｓｕは、主催者が事業者に、例えば、ＵＳＢメモリ、ＣＤ−ＲＯＭ、ＤＶＤ、ＭＯ等のコンピュータで読み取り可能な記録媒体に格納して、あらかじめ渡してもよい。この場合、情報提供システム１００は、外部インタフェースを備え、事業者は外部インタフェースを介して動画データＳ、Ｓｕを記憶部２３に転送すればよい。
【０１３３】
なお、招待客が携帯端末３００を用いてサイトβにアクセスした際、登録部２５は、そのアクセス要求に含まれる携帯端末３００の個体識別番号を取得するようにしてもよい。こうすることで、招待客がコメント等を送信した際に、個体識別番号に対応付けてコメント等を招待客情報テーブルに格納しておけば、招待客が携帯端末３００を用いてサイトβに再度アクセスした際、前回の入力内容をテキストボックスに挿入して表示することができて、招待客の使い勝手が向上する。
【０１３４】
また、情報提供システム１００への動画データＳ、Ｓｕ、Ｍ等の登録は電子メールを介さなくてもよい。例えば、携帯端末２００、３００がスマートフォン等の多機能端末の場合、データ通信機能を用いて、動画データＳ、Ｓｕ、Ｍを情報提供システム１００に直接アップロードするようにしてもよい。この場合、記憶部２３は、携帯端末３００のメールアドレスではなく、個体識別番号等と対応付けて、動画データＭを記憶すればよい。
【０１３５】
また、サイトβを介して動画データＭを招待客に提供するようにしてもよい。こうすることで、招待客は、他の招待客から寄せられた動画を視聴することができる。
【０１３６】
携帯端末２００、３００は、携帯電話機、ＰＨＳ（Personal Handy-phone System）、ＰＤＡ（Personal Digital Assistant又はPersonal Data Assistance）、ＰＣ、デジタルカメラ、ゲーム機等であってもよい。
【０１３７】
なお、上記実施形態において、実行されるプログラムは、フレキシブルディスク、ＣＤ−ＲＯＭ、ＤＶＤ、ＭＯ等のコンピュータで読み取り可能な記録媒体に格納して配布し、そのプログラムをインストールすることにより、上述の処理を実行するシステムを構成することとしてもよい。
【０１３８】
また、プログラムをインターネット等の通信ネットワーク上の所定のサーバ装置が有するディスク装置等に格納しておき、例えば、搬送波に重畳させて、ダウンロード等するようにしてもよい。
【０１３９】
また、上述の機能を、ＯＳが分担して実現する場合又はＯＳとアプリケーションとの協働により実現する場合等には、ＯＳ以外の部分のみを媒体に格納して配布してもよく、また、ダウンロード等してもよい。
【０１４０】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１４１】
１  招待状
２  ２次元コード
１０  ＲＯＭ
１１  ＲＡＭ
１２  外部記憶装置
１３  入力装置
１４  出力装置
１５  通信インタフェース
１６  ＣＰＵ
２１  生成部
２２  送受信部
２３  記憶部
２４  画面データ作成部
２５  登録部
２６  抽出部
２７  動画データ編集部
１００  情報提供システム
２００、３００  携帯端末
４００  ネットワーク
５００  プリンタ
【図１】
2013097579.tif 000003
【図２】
2013097579.tif 000004
【図３】
2013097579.tif 000005
【図４】
2013097579.tif 000006
【図５】
2013097579.tif 000007
【図６】
2013097579.tif 000008
【図７】
2013097579.tif 000009
【図８】
2013097579.tif 000010
【図９】
2013097579.tif 000011
【図１０】
2013097579.tif 000012
【図１１】
2013097579.tif 000013
【図１２】
2013097579.tif 000014
【図１３】
2013097579.tif 000015
【図１４】
2013097579.tif 000016
【図１５】
2013097579.tif 000017
【図１６】
2013097579.tif 000018